(57)【要約】発明はアナライトを定性的および定量的に検出する方法および装置に関わる。サンプル内のアナライト検出の際に細長い移動ベース（１４）を用い、該移動ベース内には磁気的に標識されたアナライトを結合するための領域が存在し、サンプルを移動ベース（１４）に吸収させる段階と、サンプルが移動ベース（１４）内で前記領域へと拡散する段階とを含む。該細長い移動ベース（１４）をコイル（１０．１）に関連して配置し、磁気的に標識されたアナライトの含有量と相関するインダクタンスの変化を検出する。【選択図】図１
2004530896.tif 000002
【特許請求の範囲】
【請求項１】
アナライトを定性的および定量的に検出する方法であって、サンプル内のアナライト検出の際に細長い移動ベース（１４）を用い、該移動ベース内には磁気的に標識されたアナライトを結合するための領域が存在し、
サンプルを移動ベース（１４）に吸収させる段階と、
サンプルが移動ベース（１４）内で前記領域へと拡散する段階と、
を含む方法において、
該細長い移動ベース（１４）をコイル（１０．１）に関連して配置し、磁気的に標識されたアナライトの含有量と相関するインダクタンスの変化を検出する、ことを特徴とする方法。
【請求項２】
前記コイル（１０．１）は無定位に設置された一対のコイル（１０）の内の一つであり、サンプル内に磁気的に標識されたアナライトが存在する状態で、一次ドライバコイル（１１）に供給された交流電流が該一対のコイル（１０）に電圧を誘導する請求項１記載の方法。
【請求項３】
前記サンプルの移動ベース（１４）として多孔質ストリップを用いる請求項１または２記載の方法。
【請求項４】
前記サンプルの移動ベース（１４）としてプレートもしくは好適には管状の毛細管を用いる請求項１または２記載の方法。
【請求項５】
アナライトを定性的および定量的に検出するための装置であって、移動ベース（１４）に吸収された磁気的に標識されたアナライトをコイル装置（１０．１）を用いて検出する装置において、該装置は、
一次コイル装置（１１）と、
該コイル装置（１１）に交流電流を供給する装置（１２）と、
該一次コイル装置（１１）に関連して配置された、無定位のコイル対（１０）を含む二次コイル装置と、
前記コイル対（１０）の均衡状態を観測する装置（１３）と、
を備えることを特徴とする装置。
【請求項６】
少なくとも２つの二次コイル（１０．１、１０．２）を備える請求項５記載の装置。
【請求項７】
前記二次コイルの少なくとも一つ（１０．１）は移動ベース（１４）をその内部に緊密に受容するような形状である請求項５または６記載の装置。
【請求項８】
前記コイル装置（１０．１、１０．２、１１）の一つまたはいくつかは実質的に平坦な構造になされている請求項５乃至７のいずれかに記載の装置。
【請求項９】
サンプルの移動ベース（１４）として、プレートもしくは好適には管状の毛細管を用いるようになされている請求項５乃至８のいずれかに記載の装置。
【請求項１０】
サンプルの移動ベース（１４）として、多孔質ストリップを用いるようになされている請求項５乃至８のいずれかに記載の装置。
【請求項１１】
干渉周波数を除外するためのロックイン増幅器（１５）を備え、前記ロックイン増幅器（１５）の基準信号は前記一次コイル装置（１１）の交流電流供給装置（１２）からとられる請求項５乃至１０のいずれかに記載の装置。
【請求項１２】
前記一次側および二次側（１０、１１）のコイル（１０．１、１０．２、１１）は同一の電位に接地されている請求項５乃至１１のいずれかに記載の装置。
【請求項１３】
前記移動ベース（１４）は一次側および二次側（１０、１１）のコイル（１０．１、１０．２、１１）と同一の電位に接地されている請求項５乃至１２のいずれかに記載の装置。
【請求項１４】
測定信号をデジタル化するための装置（２４）を備える請求項５乃至１３のいずれかに記載の装置。
【請求項１５】
測定信号から少なくとも干渉周波数を除去するフィルタ回路装置（２７）を備える請求項５乃至１４のいずれかに記載の装置。
【発明の詳細な説明】
【技術分野】
【０００１】
本発明は検体の定性的および定量的検出を行うための方法および装置であって、サンプル内のアナライト（検体）を検出するに際して細長い移動ベースを用い、その中に磁気的に標識されたアナライトを結合するための領域があり、サンプルを移動ベース（migration base）に吸収させる工程およびサンプルを移動ベース上で前記領域まで拡散させる工程を含む方法および装置に関わる。
【背景技術】
【０００２】
通常の試験所環境以外の場所において、しかも多くの場合特別な装置を用いずに行われる診断検査は、ここ数年きわめて重要なものとなってきている。例えば妊娠検査のために尿中の絨毛性ゴナドトロピンを検出する場合など、これらの検査の多くのものは迅速な免疫学的テストという性格を持っている。
【０００３】
近年免疫クロマトグラフィー（イムノクロマトグラフィー）検査は特に、迅速な免疫学的診断手段となってきている。この方法は、プラスチックフィルムに付着されたニトロセルロースなどの多孔質物質を媒体として用い、そこに吸着その他の方法によって生化学的活性を有するバインダ（結合体）試薬の幅の狭い検出ゾーンが付着されていることを特徴としている。テストが進行するにつれて、バインダ試薬は媒体内を毛管力の働きで移動するアナライトを結合する。
【０００４】
公知の免疫学的検定方法はおおまかに２つの主要タイプに分類される。いわゆるサンドイッチ法（sandwich type）では、測定されるアナライトは検出ゾーンとして２つの特定のバインダ分子間に挟まれる（サンドイッチされる）。２つのバインダ分子の一方は固体物質に付着され、他方は放射性、蛍光性あるいは着色その他の標識によって標識（マーキング）される。検出ゾーンは一つの場合もあるし、いくつかある場合もある。通常は、バインダ試薬は両方とも生化学的抗体である。
【０００５】
サンプル中に含まれるアナライトの検出は、サンプルをその分析に特定の標識されたバインダ試薬と共に検出ゾーンに接触させることによって行われる。その際アナライトは検出ゾーン上で、検出ゾーンに付着されたバインダ試薬と標識されたバインダ試薬との間に挟まれた層を形成する（これが即ち「サンドイッチの原理」である）。標識されたバインダ試薬は着色されていてもよい。これはバインダ試薬を微細粒子によって、あるいは金属塩または非金属塩のコロイドによって標識することによって実施することができる。
【０００６】
いわゆる競合法（competitive type）による検定では標識されたアナライトとサンプル中のアナライトとがバインダ試薬への結合に関して競合する。このシステムでは、バインダ試薬に結合された標識の測定量がサンプル内に含まれるアナライトの量に反比例する。
【０００７】
いわゆる均一検定（homogeneous assay）と呼ばれる第３の主要検定タイプの代表的なものとして、均一系酵素免疫測定法がある。この方法は米国特許第3817834号公報に開示されている。立体障害を利用する別の手法が立体障害酵素免疫検定（Steric Hindrance Enzyme Immunoassay SHEIA）である。この方法においてもまた、アナライトは測定信号を増幅するのではなく、弱めるものである。このようなものとして、多孔質マトリックスを移動ベースとして利用し、抗体などの特定の結合試薬を付着させる手法は1980年代にすでに知られていた。
【０００８】
これら検査の結果の判定は、一般に移動ベースの視覚的検査に基づいて行うものであり、例えば妊娠検査では移動ベースに対して形成されたラインの観察によって行う。検査によっては生じた視覚的効果が弱いため、測光装置を用いて検査しなければならない場合もある。これらの検定結果をさらなる分析に供するために電気的な形態に変換することは容易ではない。
【０００９】
磁性粒子によって標識された抗体は免疫クロマトグラフィー式の検定において広く用いられている。これら抗体を検出するための公知の装置は、ブリッジタイプのものであり、移動ベース上のアナライトが発する磁気力を検査するためにコイルを用いている。米国特許第6110660号がこのタイプの装置を開示しているが、この装置は回路が複雑である。
【００１０】
特許文献で言えば、免疫学的検定において磁性粒子を用いることに言及しているものとして、米国特許第4628037号、米国特許第5252493号、米国特許第5238811号、米国特許第5993740号、米国特許第6046585号、米国特許第6150181号、欧州特許公開公報第386690A1号などがある。米国特許第6046585号の方法においては、アナライトのサンプルが磁気双極子を形成し、励起信号によってその中に変化する磁場を誘導する。双極子の両端は固有の電場を形成し、これを検出コイルと検出コイルに接続した電子機器により検出する。
【００１１】
現在までのところ、免疫クロマトグラフィー検査はタンパク質であるアナライトの検出に、主に用いられてきた。タンパク質アナライトは比較的大きな分子であり、そうした分子の検査には上に述べたようなサンドイッチ法の原理によって動作する検査が適している。しかしながら、ステロイド、医薬、農薬等々、検査が望まれるアナライトの多くのものは分子サイズが小さいため、一般的にそれらのものの検出にサンドイッチ法の原理を用いることはできず、これらのアナライトを検定するには競合法の原理が用いられている。
【特許文献１】
米国特許第3817834号
【特許文献２】
米国特許第6110660号
【特許文献３】
米国特許第4628037号
【特許文献４】
米国特許第5252493号
【特許文献５】
米国特許第5238811号
【特許文献６】
米国特許第5993740号
【特許文献７】
米国特許第6046585号
【特許文献８】
米国特許第6150181号
【特許文献９】
欧州特許公開公報第386690A1号
【発明の開示】
【発明が解決しようとする課題】
【００１２】
本発明は、例えば放射性免疫検定（RIA）、酵素免疫検定（EIA）、蛍光免疫検定などを従来含む免疫検定を、迅速かつ正確に行うことを可能にする方法および装置を創出することを目的とする。本発明の産業上の利用分野は診断学であり、当該分野において本発明による方法および装置を利用した試薬キットを製造することができる。試薬キットは特に迅速な免疫学的検査に用いられ、検定が迅速に行われる。
【課題を解決するための手段】
【００１３】
本発明の方法の特徴は請求項１に記載されており、また本発明の装置の特徴は請求項５に記載されている。本発明の装置も用いることにより、迅速で正確な検出結果を得ることができる。
【００１４】
本発明の方法は、例えば近年重要になってきている試験所環境外、例えば医師の診療室で行われる一連の診断検査に用いるのに特に適している。本発明の方法が適しているアナライトの例としては、特にタンパク質、核酸、ペプチド、多糖類、ステロイド、医薬、農薬、抗生物質、毒物、ウイルス、酵母、細菌などがあるが、これらに限られるものではない。
【発明の効果】
【００１５】
装置の構造は単純でありかつ、検定結果は電子信号となっているので、判定および事後処理が容易である。装置の色は淡いので、最新技術の測光方法で起こるように、結果の判定において着色されたサンプルが問題となることはない。一つの好適な実施形態において、迅速な検出をもたらす板状のまたは管状の毛細管を装置の移動ベースとして用いることができる。本発明のその他の特徴は添付の特許請求の範囲に記載されている。
【発明を実施するための最良の形態】
【００１６】
以下において、本発明のいくつかの実施形態を示す添付図面を参照して、本発明を詳細に説明する。
【００１７】
図１は本発明による、迅速な免疫学的検定を行うことのできる装置の基本構成を示す図である。図１は発明の概略的動作原理を説明する図である。この装置はコイル部を有しており、該コイル部は一次側（PRIM）と二次側（SEC）に分かれている。
【００１８】
一次側にはいわゆるドライバコイル１１が設けられ、このドライバコイル１１に交流電流（AC）供給装置１２が接続されている。二次側には直列に接続されたコイル１０．１およびコイル１０．２からなる一対のコイル１０が設けられている。これらコイル１０．１および１０．２は同一のインダクタンスとなるように寸法が決められている。受信コイル１０．１および１０．２の配置の重要な特徴は、それらが逆向きに巻かれているということである。このようなコイル対１０は無定位対（astatic pair）とも名付けることができる。
【００１９】
本発明の装置によれば、コイル１０．１は移動ベース（migration base）１４のいわゆる受信コイルとして動作し、コイル１０．２はその随伴コイル（コンパニオン）として動作する。この装置例ではコイル１０．１、１０．２の長さは13mmである。またこの装置例におけるドライバコイルの長さは58mmであり、これはコイル対１０の長さ以上となる。受信コイル対１０内の電圧は、単位長さ当たりの巻き数をドライバコイル１１よりも多くすることによって、高くすることができる。
【００２０】
別の例ではまた、二次コイル１０．１、１０．２のそれぞれが、それ自身のドライバコイルを有してもよい。そのようなドライバコイルの動作パラメータおよびドライバコイルの移動ベース１４の受信コイル１０．１およびその随伴コイル１０．２に対する位置は好適には同一とする（図示せず）。動作パラメータおよび位置のある程度の非同一性は許容される。そのような場合、これを補正する電子回路を装置に設けることもできる。場合によっては非同一性を、例えばキャリブレーションなどに利用することも可能である。図１は実際の装置を図式的に表したものであり、その実施形態は後述する。実際には、一次側と二次側は、一方が他方の内側になるように、即ち例えば二次側の一対のコイル１０が一次側として動作するドライバコイル１１の内部に位置するように配置することもできる（図３，４，５ｂ）。
【００２１】
ドライバコイル１１はこの装置例ではコイル１０．１、１０．２の両方に共通であるが、このドライバコイル１１の作動周波数はたとえば10kHzとする。この周波数はとりわけドライバコイル１１の巻き数に依存し、電流の大きさによってだけではなく、装置外に設けられたアプリケーション（図示せず）によって調節することもできる。
【００２２】
二次コイル対１０は高感度の電圧計１３に接続されている。この電圧計は検定結果を示すために用いる。電圧計１３の代わりにコンピュータなどのより高度なデータ収集分析装置を用い、それによって検定結果を容易に記録および分析することもできる。
【００２３】
図２は好適な実施形態の装置を示すものであり、この装置の基本原理は図１のものに依っている。しかしながら、この装置ではロックイン増幅器１５が二次側コイル１０からのリード線と電圧計との間に効果的に付加されている。
【００２４】
ロックイン増幅器１５の基準信号は一次側ドライバコイル１１の電源１２からとられている。このロックイン増幅器１５により、測定信号の周波数は一次側に供給される電流の周波数にロックされ、装置の動作中に生ずる周波数の乱れは効果的に除去される。ロックイン増幅器１５は信号を増幅する増幅器１６を介して測定信号を受信し、信号の測定を可能とする。当業者には周知のように、以上に述べた態様に加えて、検定を一般的に補助する他の電子機器を装置に設けてもよい。
【００２５】
図２に示す実施形態において、ドライバコイル１１およびコイル対１０．１、１０．２そして場合によっては移動ベース１４もすべて同一の接地電位１７に接続してよい。このような構成とするのは、コイルシステム内に生じうる変動する浮遊容量および誘導結合を防止するためである。
【００２６】
第２の実施形態では、接地された導電領域（図示せず）をドライバコイル１１とコイル対１０．１、１０．２の間に設けてもよい。公知の変成器技術によれば、このような構成には浮遊容量を低減し共鳴周波数を高くする効果があり、より強い信号を得られる。また、変成器の基本構成に関するその他の技術も、当業者には自明である。
【００２７】
図３，４および５ｂは本発明による装置の第２の実施形態を示す図である。コイル部の内部空間は好適に移動ベースの形状になされており、移動ベース１４をコイル部内部に緊密に嵌合させることができる。これにより検定結果の精度が向上する。なぜなら、移動ベース１４内で起こる生化学反応によって生ずる磁気はきわめて弱いからである。移動ベース１４は必ずしもコイル部の内部に配置する必要はなく、検定時にコイル部に近接して配置すればよい。
【００２８】
コイル部は巻回によって作成するが、図３に示すように同一寸法の２つのコイル１０．１および１０．２を管状の本体部材２０の周りに異なる向きに巻回する。
コイル１０．１、１０．２は一例として本体部材２０の両端から5mmの位置に配置し、その長さを13mmとする。コイル１０．１、１０．２間の距離は一例としておよそ20mmである。コイルの巻き線は一例として直径0.5mmの銅線とする。コイル１０．１、１０．２は一例として、２０巻きより少し多めの巻回を上下に重なった５層をなすように形成する。
【００２９】
その後、例えばプラスチックなどのなんらかの絶縁材料からなりコイル１０．１、１０．２と類似した外形を有する部材２１を本体部材２０の周りに嵌める。
【００３０】
図４において、本体部材２０と同じ長さのカバー２８を二次側コイル対１０．１、１０．２および部材２１の上に巻き付ける。この部材２１はコイル部半加工体の表面を円滑化する。このような平坦表面上にドライバコイル２１が本体２０の全長にわたって巻回される。
【００３１】
続いて別の実施形態を説明する。この装置は尿からhCG（ヒト絨毛性ゴナドトロピン、即ち胎盤ホルモン）を検定するものである。移動ベースとして用いられる図５に示す検査ストリップ１４はニトロセルロースまたはプラスチック被覆されたニトロセルロースの細孔を有していて細孔の大きさは12μm厚さは100μmであり、このストリップから幅3mm、長さ50mmで切り取られる。ストリップ１４の下端から10mmのところからストリップを横切る検出ゾーン２３が始まり、ストリップの長さ方向に1mm延在する。検査試薬に用いられる抗体とは異なるhCGエピトープに結合する第２の抗体を、吸着により検出ゾーンに付着させる。
【００３２】
付着は抗体溶液（5mg/ml）を一つの検出ゾーン２３あたり0.24μl塗布し、溶液を乾燥させることにより行う。非特異性結合（non-specific binding）を防止するため、ストリップ１４全体をpH7.4の10mM PBS緩衝液中に３％BSAを含有する溶液に浸漬し、同じPBS緩衝液で洗い流し、その後空気中で乾燥する。
【００３３】
第２の好適な実施形態では、ガラス製またはプラスチック製の毛管、あるいはサンプルが毛管力によりそれらの間に拡散し移動するように対向して配置された２つの平坦面をサンプルの移動ベース１４として用いることができる。毛管を用いた場合には、サンプルは分析領域により早く進入するので、検定に要する時間が短縮される。例えば直径1mm長さ10〜20mm程度の毛管あるいはプレートの内面は、試薬物質で処理される。該試薬物質は検出すべきアナライトの生化学的性質によって決定される。
【００３４】
これら実施形態で用いられる検査試薬は250nmの超常磁性粒子によってラベリングされた抗hCG抗体の溶液である。超常磁性粒子はアビジンまたはストレプトアビジンを用いてコーティングされる（当業者には公知の手法である）。検査試薬は1mlの超常磁性粒子と1mlのビオチン化hCG抗体とを混合して作成する。この混合物を0.1% BSA（ウシ血清アルブミン）を含有するpH7.4の10mM PBS緩衝液を用いて５回洗浄し、洗浄の合間に4W/cm2のパワーで３秒間超音波を当てる。そして最後に混合物を800μmのフィルタで濾過する。
【００３５】
抗体は以下の手順でビオチン化する。抗体を0.2M NaHCO3pH8.8 + 0.15M NaClの緩衝液で濃度1mg/mlに希釈する。この希釈抗体１マイクロリットルごとに５μlのビオチン化試薬を加える。ビオチン化試薬は50μlのN,N´-ジメチルホルムアミド中にビオチンアミドカプロン酸−N−ヒドロキシサクシンイミド・エステル（biotinamidocaproate-  N-hydroxysuccinimide ester）1mgを含む。この溶液を室温で２時間培養し、10mM PBS pH7.4緩衝液に対して３回透析する。
【００３６】
動作状態のチェックと装置の校正は、細長い移動ベース１４に吸収させたサンプルをコイル１０．１内に次々に置くことによって行う。少なくとも一つのサンプルは既知の確実に純粋な検査対象アナライトであり、かつ好ましくはサンプルのうちの一つは検査対象アナライトの既知の含有量を有している。この検定システムは対象となるアナライトに関してリニアな結果を示すはずであり、このことに基づいて装置を校正し、検定結果のさらなる確実性を与えることができる。
【００３７】
用いられるサンプルは被験者の尿であり、その5μlを20μlの検査試薬と混合する。混合物をピペットによってマルチウェルプレート（複数のウェル（くぼみ）を有するプレート。図示せず。）の一つのウェルに入れ、その中に検査ストリップ１４を置く。検査ストリップ１４はウェル内の液体全部を吸収してよい。検査ストリップ１４に、前記検出ゾーン２３に関連して配置した第２のゾーンを設けて移動ベース１４上でのサンプルの拡散を制御してもよい（図示せず）。
【００３８】
以下において、本発明による装置の動作について説明する。装置の動作は相互誘導現象に基づいており、一次側のドライバコイル１１が一様な磁場を発生し、該磁場がその中にある二次側コイル１０．１、１０．２に電流を誘導する。磁場内のコイル１０．１、１０．２は逆向きに巻かれているので、これらコイルに誘導される電流は逆向きであって互いにうち消し合う。これらのコイル内に誘導される電流および電圧はドライバコイル１１のパラメータおよびドライバコイル１１に供給される電流に依存し、他方で二次側コイル１０．１、１０．２のパラメータ、即ちこれらコイルの寸法や導線の巻き数などに依存する。
【００３９】
図５ｂは検査ストリップ１４の検出ゾーン２３が第２の受信コイル１０．１に接触せしめられた状態、すなわち特にこの例ではコイル１０．１内に置かれた状態を示している。一つの実施形態では移動ベース１４からコイル部への常設の接続手段（図示せず）を設けてもよい。アナライトが存在する場合に公知の生化学的過程により反応したサンプル内の磁性粒子がコイル１０．１のインダクタンスを変化させる。これにより、コイル１０．１およびコイル１０．２内の誘導電流は異なった大きさとなる。この電流の差が両方のコイルを流れる電流として観測される。二次側コイル対１０の受信コイル１０．１にもたらされた磁性物質の量は電流量の変化から求めることができる。
【００４０】
かくして電流量はまた、二次側コイル対に発生する電圧からも測定することができる。これは電圧計１３によって読みとられる。未知のサンプルの含有量は校正段階で作成した既知のhCGサンプルによって生じた電圧の標準指標と読みとられた電圧値とを比較することにより、電圧値に基づいて求めることができる。
【００４１】
図６は本発明による装置に用いられる検査電子回路のより高度な実施形態を示す図である。電圧計１３の代わりに、パーソナルコンピュータ２６などのより高度なデータ収集装置を同様に用いることが可能であり、これにより検定結果を好適にデジタル化し、ありうべきさらなる分析に供すべく記録することができる。
【００４２】
このようにして、例えば受信コイル対１０．１、１０．２の電流量を測定することができる。その場合装置は、例えば上記ロックイン増幅器１５に関連して設置される信号増幅器１６を有してもよい。なお、ロックイン増幅器１５により、検査対象信号の周波数以外のすべての周波数は除去される。続いて信号はADコンバータ２４によってデジタル形式に変換され、ノイズを更に除去することが可能となる。デジタルフィルタ回路２７を用いることにより、測定対象信号を残して干渉ノイズを除去する際に、ローパスフィルタリングの閾値周波数がゼロに近づく。信号の変化に基づいて、どのくらい多くの磁性物質がコイル１０．１にもたらされたかを読みとることができる。このようなデジタルフィルタリングの原理は当業者には自明のものであるので、これ以上の説明は省略する。
【００４３】
コイル１０．１およびコイル１０．２は互いに対して無定位に設定されているので、言い換えると互いに逆向きに巻かれているので、コイルが同一であることにより、これらコイルに誘導される電圧は等しく、しかし符号が逆となる。従ってコイル対１０に誘導される電圧は非常に小さくなり、理想的にはゼロである。この自ずとゼロを示す特性は外乱排除に関して大きな改善をもたらす。
【００４４】
本発明の装置において、無定位コイル対１０を用いることによってバックグラウンド補正の原理を利用することも可能となる。この場合移動ベース１４は、コイル１０．１からコイル１０．２側に、該ベース内の粒子濃度がバックグラウンドと対応するようになる距離だけ突出するようにして受信コイル対１０内に押し入れられる（図示せず）。
【００４５】
ある実施形態では、本発明の装置を、少なくともドライバコイル１１と受信コイル対に関しては、平たいほぼ２次元状の平坦な構造となすことができる。そのような実施形態の一つの実施例は、リソグラフィ法その他たとえば層生成法などを用いて作成されるコイル部である。その場合、移動ベース１４はコイルシステムと固定的に一体化してもよい。
【００４６】
この装置を用いれば、装置検査結果は直接電子的な形態で得られるので、判定に際してサンプルの色は（例えば血液の場合でも）測光検査の場合あり得るような問題となることがない。
【００４７】
以上の説明および関連する図面は本発明の例示のためのものであることを理解されたい。即ち本発明は上述の実施形態あるいは特許請求の範囲に記載されている実施形態に限られるものではなく、添付の請求の範囲に規定される発明思想の範囲内で様々な発明の変型や応用が可能であることは当業者には明らかである。
【図面の簡単な説明】
【００４８】
【図１】本発明の装置の基本構成を示す概略図である。
【図２】本発明の装置の第１の実施形態を示す概略図である。
【図３】本発明の装置の第２の実施形態を二次コイルの層において示す図である。
【図４】図３に示す本発明の装置の第２の実施形態を一次コイルの層において示す図である。
【図５ａ】移動ベースの例を示す図である。
【図５ｂ】図３および図４に示す装置を、検出時の状態において示す図である。
【図６】本発明の装置において用いられる検定回路の例を示す概略図である。
【国際公開パンフレット】
2004530896.tif 000003
2004530896.tif 000004
2004530896.tif 000005
2004530896.tif 000006
2004530896.tif 000007
2004530896.tif 000008
2004530896.tif 000009
2004530896.tif 000010
2004530896.tif 000011
2004530896.tif 000012
2004530896.tif 000013
2004530896.tif 000014
2004530896.tif 000015
2004530896.tif 000016
2004530896.tif 000017
2004530896.tif 000018
2004530896.tif 000019
2004530896.tif 000020
2004530896.tif 000021
2004530896.tif 000022
2004530896.tif 000023
2004530896.tif 000024
【国際調査報告】
2004530896.tif 000025
2004530896.tif 000026
2004530896.tif 000027